(57)【要約】【課題】  画像スジのない良好な画像を形成することができる露光装置を提供する。【解決手段】  複数の露光素子を有するＬＥＤヘッド７ａ，７ｂ，７ｃを、感光体ドラム５の軸心方向に沿って複数配置し、かつ隣接するＬＥＤヘッド同士が感光体ドラム５の回転方向にずれた状態で固定された露光装置７であって、隣接する露光ヘッド同士をつなぎ合わせるつなぎ目位置よりも内側の露光素子を点灯制御すると共に、つなぎ目位置よりも外側に位置し、露光に使用しない不使用の露光素子も点灯制御する制御部２３を有している。【選択図】        図５
2008093875.tif 000002
【特許請求の範囲】
【請求項１】
複数の露光素子を有する露光ヘッドを、像担持体の軸心方向に沿って複数配置し、かつ隣接する露光ヘッド同士が前記像担持体の回転方向にずれた状態で固定された露光装置であって、
前記露光ヘッドの備える露光素子のうち、隣接する露光ヘッド同士をつなぎ合わせる画像のつなぎ目位置よりも内側の露光素子を点灯制御する第１制御手段と、
前記つなぎ目位置よりも外側に位置し、画像露光に使用しない不使用の露光素子を点灯制御する第２制御手段と、を有することを特徴とする露光装置。
【請求項２】
前記第２制御手段は、前記第１制御手段の点灯制御中に、前記不使用の露光素子を全て点灯制御することを特徴とする請求項１記載の露光装置。
【請求項３】
前記第２制御手段は、前記第１制御手段の点灯制御中に、前記つなぎ目位置に隣接する露光素子から所定数の露光素子を点灯制御することを特徴とする請求項１記載の露光装置。
【請求項４】
前記露光ヘッドのつなぎ目位置からの位置ずれ量を算出する算出手段を有し、
前記第２制御手段は、前記位置ずれ量に応じて、点灯制御する露光素子数を変更することを特徴とする請求項３記載の露光装置。
【請求項５】
前記第２制御手段は、前記不使用の露光素子のうち、作像位置に重なる露光素子を消灯することを特徴とする請求項１から４のいずれか一項記載の露光装置。
【請求項６】
前記第２制御手段は、前記作像位置に重なる露光素子と、該露光素子に隣接する所定数の露光素子とを消灯することを特徴とする請求項５記載の露光装置。
【請求項７】
前記露光ヘッドのつなぎ目位置からの位置ずれ量を算出する算出手段を有し、
前記第２制御手段は、前記位置ずれ量に応じて、消灯制御する露光素子数を変更することを特徴とする請求項６記載の露光装置。
【請求項８】
前記第２制御手段は、前記作像位置に重なる露光素子に隣接する露光素子の露光量を、点灯される他の露光素子の露光量と変えて点灯することを特徴とする請求項５記載の露光装置。
【請求項９】
像担持体の軸心方向に沿って複数配置された露光ヘッドを有し、画像のイメージ部を露光する第１露光部と、
前記像担持体の軸心方向に沿って配置された露光ヘッドを有し、画像の背景部を露光する第２露光部と、
前記第１露光部と前記第２露光部とを用いて画像の露光制御を行う制御手段と、
を有することを特徴とする露光装置。
【発明の詳細な説明】
【技術分野】
【０００１】
本発明は、Ａ０（８４１ｍｍ×１１８９ｍｍ）やＡ１（５９４ｍｍ×８４１ｍｍ）といった大サイズの画像を形成可能な画像形成装置に搭載された露光装置に関する。特に、複数本のＬＥＤ（Light Emitting Diode）プリントヘッド（以下、単にＬＥＤヘッドという）をつないで広幅露光を行う露光装置に関する。
【背景技術】
【０００２】
従来、Ａ０やＡ１といった広幅な原稿に対する静電潜像を感光体に形成するために、複数本のＬＥＤヘッドを感光体ドラムの軸心方向に配列して広幅露光を行う画像形成装置が知られている。広幅（例えば、Ａ０サイズ幅）に対応するモノクロの複写機やプリンタでは、小サイズ（例えば、Ａ３サイズ幅）のＬＥＤヘッドを複数本つなぐことによって、低コストで広幅のＬＥＤヘッドを実現している。
【０００３】
図１に、広幅露光を行うＬＥＤヘッドの配置の一例を示す。図１に示す配置例では、第１ＬＥＤヘッド７ａ、第２ＬＥＤヘッド７ｂ、第３ＬＥＤヘッド７ｃの３本のＬＥＤヘッドを千鳥状に配置して、Ａ０幅といった大サイズの露光を行っている。
また、図２に示すように千鳥状に配置したＬＥＤヘッドの端部と端部をオーバーラップさせて、形成する画像にすき間ができなように位置合わせを行っている。
さらに、ＬＥＤヘッドのオーバーラップ部分では、図２に示すようにＬＥＤヘッド同士をつなぎあわせるつなぎ目位置を設定して、このつなぎ目位置よりも端部側を不使用ドットとしている。
【０００４】
しかしながら、ＬＥＤヘッドは、画像の露光に伴って発熱して膨張するので、つなぎ合わせたＬＥＤヘッドのつなぎ目の位置にズレが生じ、画像に白筋、黒筋等の濃度ムラが生じるという問題がある。
【０００５】
そこで、特許文献１では、ＬＥＤヘッドの、感光体ドラム軸方向及び回転方向の位置並びに焦点位置の少なくとも１つの位置ずれを検出する検出手段と、検出手段の検出結果に基づいて、複数本のＬＥＤヘッドの露光状態を補正する補正手段とを設けている。
【０００６】
【特許文献１】特開２００２−０５２７５７号公報
【発明の開示】
【発明が解決しようとする課題】
【０００７】
電子写真方式を用いて画像の形成を行う複写機やプリンタでは、感光体に画像を露光する際にイメージ部を露光する方式と、背景部を露光する方式とがある。上述したＬＥＤヘッド同士のつなぎ目ずれが、つなぎ目が離れる方向にずれた場合、イメージ部を露光するイメージ露光方式であれば、ＬＥＤヘッドのつなぎ目で、画像の間に白筋が生じる程度である。しかしながら、背景露光方式では、つなぎ目が離れる方向にずれると、用紙の上から下まで縦方向に画像スジが描かれてしまい大きな問題となる。これは、背景露光方式の場合、ＬＥＤヘッドを点灯した部分が背景画像となり、消灯した部分にイメージが描画されるからである。画像スジの生じる様子を図３に示す。図３は、「つなぎ目が離れる方向」に半ドット分ズレたＬＥＤヘッドで、用紙全面を白(描画しない)で出力した場合の例である。
【０００８】
特許文献１の開示技術も、イメージ部を露光する露光方式を想定しており、背景露光において生じる画像スジを完全には解消することはできない。
【０００９】
本発明は上記事情に鑑みてなされたものであり、画像スジのない良好な画像を形成することができる露光装置を提供することを目的とする。
【課題を解決するための手段】
【００１０】
かかる目的を達成するために本発明の露光装置は、複数の露光素子を有する露光ヘッドを、像担持体の軸心方向に沿って複数配置し、かつ隣接する露光ヘッド同士が前記像担持体の回転方向にずれた状態で固定された露光装置であって、前記露光ヘッドの備える露光素子のうち、隣接する露光ヘッド同士をつなぎ合わせる画像のつなぎ目位置よりも内側の露光素子を点灯制御する第１制御手段と、前記つなぎ目位置よりも外側に位置し、画像露光に使用しない不使用の露光素子を点灯制御する第２制御手段と、を有する構成としている。
本発明によれば、つなぎ合わせた露光ヘッドのつなぎ目に位置ずれが生じても、露光に使用しない不使用の露光素子も点灯制御することで、位置ずれによる画像スジの発生を防止し、画質の劣化を防止することができる。
【００１１】
上記露光装置において、前記第２制御手段は、前記第１制御手段の点灯制御中に、前記不使用の露光素子を全て点灯制御するとよい。
【００１２】
上記露光装置において、前記第２制御手段は、前記第１制御手段の点灯制御中に、前記つなぎ目位置に隣接する露光素子から所定数の露光素子を点灯するとよい。
従って、必要な露光素子だけを点灯させ、消費電力を削減することができる。
【００１３】
上記露光装置において、前記露光ヘッドのつなぎ目位置からの位置ずれ量を算出する算出手段を有し、前記第２制御手段は、前記位置ずれ量に応じて、点灯制御する露光素子数を変更するとよい。
従って、位置ずれ量に応じて必要な数の露光素子だけを点灯することができ、消費電力を削減することができる。
【００１４】
上記露光装置において、前記第２制御手段は、前記不使用の露光素子のうち、作像位置に重なる露光素子を消灯するとよい。
従って、画像の背景領域を露光する方式において、不使用の露光素子の点灯によって作像位置の電気的な像が消されてしまうことがない。
【００１５】
上記露光装置において、前記第２制御手段は、前記作像位置に重なる露光素子と、該露光素子に隣接する所定数の露光素子とを消灯するとよい。
従って、背景露光方式において、露光ヘッドのつなぎ目に位置ずれが生じていても、不使用の露光素子の点灯によって作像位置の電気的な像が消されてしまうことがない。
【００１６】
上記露光装置において、前記露光ヘッドのつなぎ目位置からの位置ずれ量を算出する算出手段を有し、前記第２制御手段は、前記位置ずれ量に応じて、消灯制御する露光素子数を変更するとよい。
従って、背景露光方式において、露光ヘッドのつなぎ目に位置ずれが生じていても、位置ずれに応じた所定数の露光素子を消灯することで、露光素子よりも外側の露光素子によって、作像位置の電気的な像が消されてしまうことがない。
【００１７】
上記露光装置において、前記第２制御手段は、前記作像位置に重なる露光素子に隣接する露光素子の露光量を、点灯される他の露光素子の光量と変えて点灯するとよい。
従って、露光ヘッドのつなぎ目で位置ずれが生じていても、つなぎ目の光量を他の露光素子の光量と変えることで、発生する画像スジ等をぼかすことができる。
【００１８】
本発明の露光装置は、像担持体の軸心方向に沿って複数配置された露光ヘッドを有し、画像のイメージ部を露光する第１露光部と、前記像担持体の軸心方向に沿って配置された露光ヘッドを有し、画像の背景部を露光する第２露光部と、前記第１露光部と前記第２露光部とを用いて画像の露光制御を行う制御手段とを有する構成としている。
従って、背景露光方式においても最適な露光ができる。
【発明の効果】
【００１９】
本発明によれば、画像スジのない良好な画像を形成することができる。
【発明を実施するための最良の形態】
【００２０】
添付図面を参照しながら本発明の好適な実施例を説明する。
【実施例１】
【００２１】
まず、図４を参照しながら本実施例の構成を説明する。画像形成装置１は、大きくは、画像形成部２と、給紙部３と、制御装置や予備の給紙ロール等を収納した収納部４とから構成される。
【００２２】
画像形成部２では、感光体ドラム５の周面に沿って帯電ロール６、露光器７、現像装置８、転写ロール１２、除電器１３の順で配置される。
感光体ドラム５は、図示しない駆動手段によって自身の軸心を中心として矢印方向に所定の回転速度で回転駆動される。
帯電ロール６は、感光体ドラム５の表面を所定の電位に一様に帯電する。なお、感光体ドラム５の表面を帯電する手段としては、帯電ロール６に限定されるものではなく、スコロトロン等の帯電器を用いてもよい。
露光器７には、複数の露光体が設置される。図４には、露光体として第１ＬＥＤヘッド７ａと、第２ＬＥＤヘッド７ｂと、第３ＬＥＤヘッド７ｃとの３つが示されている。第１〜第３ＬＥＤヘッド７ａ，７ｂ，７ｃは、感光体ドラム５の表面に画像を露光し、画像情報に応じた静電潜像を形成する。これらの詳細については後ほど詳述する。
現像装置８は、感光体ドラム５の表面に形成された静電潜像を現像してトナー像とする。現像装置８の現像方式としては一成分現像方式やトナーとキャリアとからなる二成分現像方式がある。
転写ロール１２は、感光体ドラム５の表面に形成されたトナー像を給紙部３から供給されたロール紙１１上に転写する。除電器１３は、除電作用によって感光体ドラム５の表面からトナー像を分離する。
搬送ベルト１４は、上流側の感光体ドラム５から下流側の定着器１５へロール紙１１を紙送りする。定着器１５は、ロール紙１１に熱及び圧力を加えてトナー像の定着処理を行う。トナー像が定着したロール紙１１は、必要に応じてＡ０サイズ等の所定サイズに裁断された後に、画像形成装置本体１の外部に配置された排紙トレイ（不図示）上に排出される。
【００２３】
次に、図５を参照しながら画像形成装置１の画像処理系の構成を示す。
通信インタフェース（Ｉ／Ｆ）部２０は、ＬＡＮ（ローカルエリアネットワーク）等のネットワークに接続されており、パーソナルコンピュータ５０やワークステーション５１で作成されたＰＤＬコマンドを受信する。受信したＰＤＬコマンドは、コントローラ部２２内の画像処理部２４に送出される。
【００２４】
画像処理部２４は、ネットワークを介して送られてきたＰＤＬコマンドを解釈して描画処理を実行し、各ページのイメージデータを作成する。作成されたイメージデータは、各ページのＩＤと対応付けてページメモリ２５に一旦保存される。ページメモリ２５に保存されたイメージデータは、制御部２３の制御に従って、露光器７に送出される。制御部２３は、本発明の第１制御手段と第２制御手段として機能する。
【００２５】
また、スキャナ２１で読み込んだデータは、画像処理部２４で色補正、色空間変換、スクリーン処理等の画像処理が行われ、画像処理後のイメージデータはページメモリ２５に一旦保存される。ページメモリ２５に記録されたイメージデータは、制御部２３の制御に従って、露光器７に送出される。
【００２６】
露光器７の構成を説明する。露光器７は、大きくは、第１〜第３ＬＥＤヘッド７ａ〜７ｃと、これらのＬＥＤヘッド７ａ〜７ｃを駆動制御する駆動制御部３０とから構成される。駆動制御部３０には、画像処理部２４から受け取ったイメージデータに応じて、第１〜第３ＬＥＤヘッド７ａ〜７ｃの駆動制御を行うＬＥＤヘッド制御回路３１と、ＬＥＤヘッド制御回路３１の制御に従って、第１〜第３ＬＥＤヘッド７ａ〜７ｃの各ＬＥＤを点灯制御するＬＥＤ駆動回路３４と、ＲＡＭ３２、ＲＯＭ３３を有している。ＲＡＭ３２には、画像処理部２４から送られたイメージデータが一時的に格納され、ＲＯＭ３３には、ＬＥＤヘッドの光量補正データ等が格納されている。
【００２７】
次に、露光器７のＬＥＤヘッド部分の構成について説明する。
第１〜第３ＬＥＤヘッド７ａ〜７ｃは、複数個のＬＥＤ素子をアレイ状に並べたものであり、このＬＥＤ素子を感光体ドラム５側に向けた状態で固定される。第１〜第３ＬＥＤヘッド７ａ〜７ｃは、図１に示すようにそれぞれの長手方向が感光体ドラム５の軸心と略平行となり、且つそれぞれが感光体ドラム５の周面と同一距離だけ離隔するように配置される。このため、第１〜第３ＬＥＤヘッド７ａ〜７ｃは、感光体ドラム５の周面に沿った状態で互いに平行になる。また、第１ＬＥＤヘッド７ａと第２ＬＥＤヘッド７ｂ、第２ＬＥＤヘッド７ｂと第３ＬＥＤヘッド７ｃとは、感光体ドラム５の回転方向にずれた状態で固定され、さらに第１ＬＥＤヘッド７ａと第３ＬＥＤヘッド７ｃとは、これらの長手方向の同一直線上に配置される。つまり、第１〜第３ＬＥＤヘッド７ａ〜７ｃの配列は千鳥状であって、感光体ドラム５の回転方向の下流側から見た場合に、第２ＬＥＤヘッド７ｂの両端がそれぞれ第１ＬＥＤヘッド７ａ及び第３ＬＥＤヘッド７ｃの一端側と重なるように、第１〜第３ＬＥＤヘッド７ａ〜７ｃは配置される。なお、ＬＥＤヘッドの数は３つに限らず、２つであってもよいし、４つ以上であってもよい。
【００２８】
このように、感光体ドラム５の軸心方向の全画像幅にわたってすき間が生じることなく配置された複数の第１〜第３ＬＥＤヘッド７ａ〜７ｃによって、感光体ドラム５の軸心方向の画像領域が分割されている。そして、第１〜第３ＬＥＤヘッド７ａ〜７ｃが個々の領域を露光することで、感光体ドラム５の全画像幅が画像露光される。なお、上述のように第２ＬＥＤヘッド７ｂは第１ＬＥＤヘッド７ａ及び第３ＬＥＤヘッド７ｃの下流側に位置する。そこで、感光体ドラム５の回転速度に応じて第２ＬＥＤヘッド７ｂの露光開始時間を第１ＬＥＤヘッド７ａと第３ＬＥＤヘッド７ｃの露光開始時間よりも遅延させることで、感光体ドラム５の周面の軸心方向の同一ラインが露光される。また、第１ＬＥＤヘッド７ａと第３ＬＥＤヘッド７ｃは必ずしも同一直線上にある必要はない。露光開始の遅延時間を適正にすることで、第１〜第３ＬＥＤヘッド７ａ〜７ｃで同一ラインを露光することができる。
【００２９】
上述のように第１ＬＥＤヘッド７ａと第２ＬＥＤヘッド７ｂ、第２ＬＥＤヘッド７ｂと第３ＬＥＤヘッド７ｃとは重ね合う領域（以下、オーバラップ領域という）を設けている。通常、このオーバラップ領域内で図２に示すようにつなぎ目位置を決定し、つなぎ目位置を境界線にしてこの線よりも端部側のＬＥＤ素子（以下、ドットと表現する）を不使用にしていた。これらのドットを以下では、未使用ドットと言う。
本実施例は、図６に示すように未使用にしていた端部側のドットも露光時に点灯するようにしている。つなぎ目位置が離れる方向に変化しても、未使用のドットを点灯させることで背景部分として露光することができ、画像スジの発生を防ぐことができる。なお、以下の説明では、第１ＬＥＤヘッド７ａと第２ＬＥＤヘッド７ｂとのオーバラップ領域について説明するが、第２ＬＥＤヘッド７ｂと第３ＬＥＤヘッド７ｃのオーバラップ領域についても同様の点灯、消灯制御を行うものとする。
【００３０】
また、図６に示す実施例では、第１ＬＥＤヘッド７ａと第２ＬＥＤヘッド７ｂの両方の未使用ドットを点灯させているが、いずれか一方のＬＥＤヘッドの未使用ドットを点灯させてもよい。図７に示す例では、第１ＬＥＤヘッド７ａの未使用ドットだけを露光時に点灯させている。
【００３１】
さらに、図６に示す実施例では、第１ＬＥＤヘッド７ａと第２ＬＥＤヘッド７ｂとの未使用ドットをすべて点灯しているが、予めつなぎ目位置の最大ズレ量が分かっていれば、この最大ズレ量に基づいて必要なドット数の未使用ドットだけを点灯すればよい。図８には、つなぎ目位置のずれ量が１ドット未満のために、第１ＬＥＤヘッド７ａと第２ＬＥＤヘッド７ｂの１ドットずつを点灯した例を示す。
【００３２】
つなぎ目位置のずれ量を求める算出式の一例として、以下に示す温度変化時のずれ量が挙げられる。
ずれ量＝Ａ×（Ｔ−２５）＋Ｂ・・・・（１）
なお、Ａは単位温度変化あたりのつなぎ目ずれ量、Ｔは温度、ＢはＬＥＤヘッドを感光体ドラム５に対して固定した時に測定される、基準温度での基準位置からのずれ量を示している。ここでAは、使用材料の線膨張係数と、ＬＥＤヘッドの固定位置からつなぎ目位置までの距離から算出しても良いし、あらかじめサンプル機で実測データを採取して求めても良い。
【実施例２】
【００３３】
添付図面を参照しながら本発明の第２実施例を詳細に説明する。
上述した実施例１では、ＬＥＤヘッド７ａとＬＥＤヘッド７ｂとのオーバラップ部分にイメージ画像がないことが前提での制御であった。すなわち、図６に示すように未使用ドットを全点灯させると、図９に示すようにイメージ描画したかった部分も影響を受けて、イメージが描かれないという問題がある。
そこで、本実施例では、図１０に示すように未使用ドットに関しても、ただ点灯するのではなく、イメージを描画する位置のドットを消灯することで、露光したイメージが未使用ドットによって消去されないようにする。
図１０では、第１ＬＥＤヘッド７ａの点灯した未使用側ドットうち、イメージを描画する部分のドット７１だけを消灯している。同様に第２ＬＥＤヘッド７ｂの点灯した未使用側ドットのうち、イメージを描画する部分のドット７２だけを消灯している。
【００３４】
なお、図１０に示す点灯、消灯制御が有効になるためには、ＬＥＤヘッド間でつなぎ目ずれがほとんどないことが条件となる。つなぎ目ずれが生じていると、必要な部分のイメージが消されてしまうか、イメージ画像の幅が細くなってしまう。
図１１には、第１ＬＥＤヘッド７ａと第２ＬＥＤヘッド７ｂとに１ドットの位置ずれが生じた場合を示す。この場合、第２ＬＥＤヘッド７ｂのイメージとなる部分のドット７３を消灯させ、第１ＬＥＤヘッド７ａの未使用ドットのうちイメージに重なる部分のドット７４を消灯させる制御が行われる。しかしながら、第１ＬＥＤヘッド７ａと第２ＬＥＤヘッド７ｂとに１ドットの位置ずれが生じているので、イメージが１ドット分消失してしまっている。
【００３５】
このような不具合は、ＬＥＤヘッドの未使用ドット側を余分に消灯しておくことで、画像の書き込みに使用するＬＥＤヘッドの書き込みが消されるのを防ぐことができる。すなわち、未使用側ドットのうち、イメージに重なるドットと、その近傍の数ドットとを消灯することで、イメージの消滅や、線幅が狭くなる問題を解消することができる。図１２に示す例では、第１ＬＥＤヘッド７ａの未使用側ドットのうち、イメージ部分に重なるドット７５と、このドット７５に隣接する２ドット７６とを消灯している。同様に第２ＬＥＤヘッド７ｂの未使用側ドットのうち、イメージ部分に重なるドット７７と、このドット７７に隣接する２ドット７８とを消灯させている。なお、ＬＥＤヘッドのつなぎ目の最大ずれ量を上述した式（１）で求めておけば、この最大ずれ量に応じて消灯させる近傍のドット数を求めることができる。
【００３６】
なお、ＬＥＤヘッドのつなぎ目位置は、主走査方向だけでなく、副走査方向にもずれる場合がある。例えば、副走査方向に１ドットずれると、１ドットのヨコ線画像がオーバラップ点灯させている幅だけ消失してしまう。これを防ぐために、ずれ量に応じてドットの消灯範囲を広げればよい。最大ずれ量は、副走査方向にも式（１）を適用して温度による影響を求める他に、振動やドラム回転速度むらによるずれ量をあらかじめサンプル機の実測データや部品仕様で把握しておいて加算するのが良い。
【実施例３】
【００３７】
ＬＥＤヘッドのオーバラップ部分で、ハーフトーン画像の描画を行う場合、つなぎ目に位置ずれが生じていると、点灯、消灯のドット配列が乱れるので画像スジが生じる。これは、イメージ露光でも背景露光でも共通の課題であり、オーバラップ部分の点灯、消灯制御を行っても解消されない。
逆に、未使用側ドットを点灯、消灯するオーバラップ露光の範囲が広すぎると、ドット配列が乱れる範囲が広がるので、点灯、消灯制御を行うドットの設定は必要最低限とするのがよい。
そこで、本実施例は、図１３に示すように未使用側ドットのうち、イメージに重なるドットを消灯し、その近傍の数ドットとを暗く点灯する。このような点灯制御によって、ハーフトーン画像のつなぎ目に生じる画像スジを最小限にすることができる。図１３に示す例では、第１ＬＥＤヘッド７ａの未使用側ドットのうち、イメージ部分に重なるドット７９を消灯し、このドット７９に隣接する左右の２ドット８０を暗く点灯している。同様に第２ＬＥＤヘッド７ｂの未使用側ドットのうち、イメージ部分に重なるドット８１を消灯し、このドット８１に隣接する左右の２ドット８２を暗く点灯している。なお、図１３では、第１ＬＥＤヘッド７ａと第２ＬＥＤヘッド７ｂとに１ドットの位置ずれが生じている場合を例示しているので、イメージに重なるはずの第１ＬＥＤヘッド７ａのドット７９は、１ドット分がイメージ領域から外れ、第２ＬＥＤヘッド８１は、イメージ領域から外れている。
【００３８】
また、本実施例においても、ＬＥＤヘッドのつなぎ目の最大ずれ量を上述した式（１）で求めておけば、この最大ずれ量に応じて消灯させる近傍のドット数を求めることができる。
【００３９】
なお、上述した実施例では、背景露光するための特殊な点灯制御が必要となる。また、隣接するＬＥＤヘッドをオーバラップさせるためには、感光体ドラム５の周辺にスペースが余計に必要となる。そこで、イメージ部を露光するＬＥＤヘッドと、背景部を露光するＬＥＤヘッドとが混在する多色の画像形成装置においては、背景部を露光するＬＥＤヘッドだけ広幅の１本のＬＥＤヘッドを使用するようにしてもよい。図１４に、イメージ部を露光するＬＥＤヘッド７ａ，７ｂ，７ｃと、背景部を露光するＬＥＤヘッド９とを別々に設けた構成を示す。
【００４０】
また、上述した実施例では、オーバラップさせたＬＥＤヘッドの両方の未使用側ドットを点灯、消灯制御する例を示したが、ＬＥＤヘッドのいずれか一方だけを点灯、消灯制御するものであってもよい。
【００４１】
上述した実施例は本発明の好適な実施の一例である。但し、これに限定されるものではなく、本発明の要旨を逸脱しない範囲内において種々変形実施可能である。
【図面の簡単な説明】
【００４２】
【図１】露光器のＬＥＤヘッド部分の構成を示す図である。
【図２】２つのＬＥＤヘッドをオーバラップ領域を設けてつなぎ合わせた様子を示す図である。
【図３】つなぎ目ずれによって画像スジが発生する様子を示す図である。
【図４】画像形成装置の構成を示す図である。
【図５】画像形成装置の画像処理系の構成を示す図である。
【図６】ＬＥＤヘッドの未使用側ドットをすべて点灯した状態を示す図である。
【図７】いずれか一方のＬＥＤヘッドの未使用側ドットを点灯した状態を示す図である。
【図８】つなぎ目位置のずれ量に基づいて必要な未使用ドットだけを点灯した状態を示す図である。
【図９】ＬＥＤヘッドのオーバラップ部分にイメージ画像がある場合の問題点を示す図である。
【図１０】イメージ位置に合わせて描画する位置の未使用側ドットを消灯した状態を示す図である。
【図１１】ＬＥＤヘッドのオーバラップ部分にイメージ画像があり、さらにＬＥＤヘッドに位置ずれが生じている場合の問題点を示す図である。
【図１２】未使用側ドットのうち、イメージに重なるドットと、その近傍の数ドットとを消灯した状態を示す図である。
【図１３】未使用側ドットのうち、イメージに重なるドットを消灯し、さらにその近傍の数ドットを暗く点灯した状態を示す図である。
【図１４】イメージ露光用と、背景露光用の露光器を別々に設けた構成を示す図である。
【符号の説明】
【００４３】
１  画像形成装置
２  画像形成部
３  給紙部
４  収納部
５  感光体ドラム
６  帯電ロール
７  露光器
７ａ  第１ＬＥＤヘッド
７ｂ  第２ＬＥＤヘッド
７ｃ  第３ＬＥＤヘッド
８  現像装置
１１  ロール紙
１２  転写ロール
１３  除電器
１４  搬送ベルト
１５  定着器
２０  通信インタフェース部
２１  スキャナ
２２  コントローラ部
２３  制御部
２４  画像処理部
２５  ページメモリ
３０  駆動制御部
３１  ＬＥＤヘッド制御回路
３４  ＬＥＤ駆動回路
３２  ＲＡＭ
３３  ＲＯＭ
【図１】
2008093875.tif 000003
【図２】
2008093875.tif 000004
【図３】
2008093875.tif 000005
【図４】
2008093875.tif 000006
【図５】
2008093875.tif 000007
【図６】
2008093875.tif 000008
【図７】
2008093875.tif 000009
【図８】
2008093875.tif 000010
【図９】
2008093875.tif 000011
【図１０】
2008093875.tif 000012
【図１１】
2008093875.tif 000013
【図１２】
2008093875.tif 000014
【図１３】
2008093875.tif 000015
【図１４】
2008093875.tif 000016